(57)【要約】      （修正有）【課題】使用者の体形に合わせた調整が可能で、装着時の圧迫感のない快適なブラジャーを、少ない構成部材で提供する。【解決手段】布を重ね合わせた本体１と、第一の紐２で構成されたブラジャーであり、本体１は左右一対の胸当て部を有し、第一の紐２は胸当て部を囲む位置に配置された紐通し４に通されており、かつ第一の紐２の両端は本体１と縫合され、さらに第一の紐２の一部は本体１の下端左右の露出部より露出しており、第一の紐２は露出部で引っ張ることが可能となっている。【選択図】図２
0003213502.tif 000002
【実用新案登録請求の範囲】
【請求項１】
布を重ね合わせた本体と、
第一の紐で構成されたブラジャーであり、
前記本体は左右一対の胸当て部を有し、前記第一の紐は前記胸当て部を囲む位置に配置された紐通しに通されており、かつ前記第一の紐の両端は前記本体と縫合され、
さらに前記第一の紐の一部は前記本体の下端左右の露出部より露出しており、前記第一の紐は前記露出部で引っ張ることが可能となっていることを特徴とするブラジャー。
【請求項２】
請求項１のブラジャーは、第二の紐を有しており、
前記第二の紐は前記本体の上辺部に通されており、前記上辺部左右から出た前記第二の紐は、左右反対の前記露出部に通されており、使用者に合わせた長さの調整が可能なように十分な長さを有することを特徴とするブラジャー。
【請求項３】
請求項１または請求項２のブラジャーについて、
前記本体と前記第一の紐と前記第二の紐は、綿、麻、絹のいずれかの生地が材料であることを特徴とするブラジャー。
【考案の詳細な説明】
【技術分野】
【０００１】  本発明は、着用時の圧迫感を解消し快適に着用できるブラジャーに関するものである。
【背景技術】
【０００２】  特許文献１にあるように、従来のブラジャーは脇部から背部にかけてその一部または全部を伸縮性のある素材にすることにより、着用時の圧迫感を軽減し、疲労感を低減するものがある。【０００３】  また乳房を保持するためのカップ部が設けられており、カップ部は立体形状となるように縫製されるか、元々立体的に形成された別素材を用いるのが一般的である。
一部には特許文献２のように、カップ部も含め１枚の生地からブラジャーを作る例もある。体形に合わせた調整ができないため生地に伸縮素材を用いなければならず、着用したときに圧迫感により苦しさや、ゆるみによる不安感や、着用位置の不安定によって生ずる不快感が生ずる可能性がある。【０００４】  体を締め付けないプラジャーとしては、非特許文献１のように伸縮素材を用いない例もある。
【先行技術文献】
【特許文献】
【０００５】
【特許文献１】特開平９−１３７３０６
【特許文献２】特開２００５−３１４８５６
【非特許文献】
【０００６】
【非特許文献１】［平成２９年４月３０日検索］、インターネット＜ＵＲＬ：ｈｔｔｐｓ：／／ｋｕ−ｋｉｐａｎｔｓ．ｃｏｍ／ｓｈｏｐ／ｂｒａ／ｋｂ０００１＞
【考案の概要】
【考案が解決しようとする課題】
【０００７】  特許文献１のように脇部からは背部にかけての一部または全部に伸縮性素材を用いる場合、わずかであっても常時体を締め付けており、これよって圧迫感が生じ苦しく感じるという課題がある。【０００８】  またカップ部においては、立体形状とする手間や、立体的に形成されたカップ部を製作する手間やコストがかかるという課題がある。
あるいは特許文献２のように１枚の生地で作るものもあるが、この場合は体形に合わせた調整ができないため、生地に伸縮素材を用いなければならず、着用したときに圧迫感による苦しさや、ゆるみによる不安感や、着用位置の不安定によって生ずる不快感が生ずる可能性があるという課題がある。【０００９】  非特許文献１の例は伸縮素材を用いないことにより体を締め付けないようにしているが、体形に合わせて着用した後、その都度胸の中央で二か所を結ばねばならず、その余り紐がアウターの服に響いて、ファッション性が損なわれる可能性や、余り紐が皮膚に当たって不快感を与える可能性があるという課題がある。【００１０】  本実用新案の目的はこれらの課題を解決するもので、体形に合わせた調整をすることにより着用時の圧迫感やゆるみを生じることなく快適かつ時間をかけずに着用でき、余り紐がほとんどか全くないためアウターに響かず、余り紐による不快感もなく、カップ部も簡便な方法で形成するため手間やコストがかからないブラジャーを提供するものである。
【課題を解決するための手段】
【００１１】  本考案は、上記の問題を解決するために、布を重ね合わせた本体と、第一の紐で構成されたブラジャーであり、前記本体は左右一対の胸当て部を有し、前記第一の紐は前記胸当て部を囲む位置に配置された紐通しに通されており、かつ前記第一の紐の両端は前記本体と縫合され、さらに前記第一の紐の一部は前記本体の下端左右の露出部より露出しており、前記第一の紐は前記露出部で引っ張ることが可能となっていることを特徴としている。【００１２】  本考案は、さらに上述の考案の構成に加えて、第二の紐を有しており、前記第二の紐は前記本体の上辺部に通されており、前記上辺部左右から出た前記第二の紐は、左右反対の前記露出部に通されており、使用者に合わせた長さの調整が可能なように十分な長さを有することを特徴としている。【００１３】  本考案は、さらに上述の考案の構成に加えて、前記本体と前記第一の紐と前記第二の紐は、綿、麻、絹のいずれかの生地が材料であることを特徴としている。【００１４】  脇部から背部にかけてのすべて材料を綿か麻か絹を用いることにより、生地の伸縮性から生じる圧迫感はなく、従って苦しさもない。【００１５】  さらにカップ部が重ね合わせた平面の布から出来ているため、あらためてカップ部を製作する手間やコストがかからない。【００１６】  本考案は、第一の紐を露出部で引っ張ったり、第二の紐の長さを調整することで、本体を体形に合った位置や形、および強さで調整することができるため、圧迫感やゆるみが生じない快適な装着感を提供できる。【００１７】  第二の紐は使用者の体形に合わせた後、不要な箇所を切り落として、縛るか縫合することにより余り紐が出ないため、アウターの服に響いて、ファッション性が損なわれる可能性がなく、さらに余り紐が皮膚に当たって不快感を与えることもない。また着用の都度紐を縛ったり調整しなくてよいので、短時間で装着できる。
【考案の効果】
【００１８】以上説明した通り、本考案によれば、使用者の体形に合わせた調整が可能で、装着時の圧迫感のない快適なブラジャーを、少ない構成部材で提供することができる。
【図面の簡単な説明】
【００１９】
【図１】本考案のブラジャーの正面図
【図２】本稿案のブラジャーの裏面図
【図３】本稿案のブラジャーの裏面図であって、紐３が通された状態の図
【図４】本考案のブラジャーの使用状態を前方から示した図
【図５】本稿案のブラジャーの使用状態を後方から示した図
【考案を実施するための形態】
【００２０】  図１は本考案のブラジャーの正面から見た図である。図２は本考案のブラジャーを裏側から見た図である。
本体１は２枚の同形状の布を重ねて縫い合わせてある。生地の素材は綿か麻または絹を用いる。肌に触れる内側の素材は柔らかいガーゼなどを用いる。
装着時に乳首の位置となる部６には、本体１の２枚の生地の間にガーゼが６枚から８枚程度重ねて縫合されている。これは乳首の隆起がブラジャーの外側に現われないようにするためのものである。この代わりに市販のパッドなどを本体生地の間に入れてもよい。
【００２１】  紐２は綿か麻または絹を材料とした布でできている。紐２の両端は本体の上部９で縫合され固定されている。本体１の外側には紐通し４が作られており、この部分を紐２が通されている。また、中央部５で本体１の外側と内側の生地が縫合されている。これにより紐２を本体１より露出している箇所から引っ張ると、本体１の紐２が通っている箇所が縮んでしわができるようになっている。
【００２２】  さらに本体１の上部には紐通し７が設けられており、紐３がここに通される。紐３は綿か麻または絹を材料とした布でできている。本体１に紐３を通し、紐２の本体１からの露出した部分に通された状態を図３に示す。
紐３は、使用者の体形に合わせた長さに調整した後、端部８で縫合するか結んで余り紐が出ないように切断する。そうすることで、装着時の外観がすっきりするだけでなくアウターにも響かず、紐が当たって不快な思いをすることもない。尚、端部８すなわち縫合あるいは結び目の位置はこのような通し方をしてあればどこでもよい。
【００２３】  図４、図５は本稿案のブラジャーの使用状態を示した図で、図４は前方から見た図、図５は後方から見た図である。
図４のように装着した状態では紐２が体形に合わせて引っ張られることによって、本体１の周囲や胸の中央部付近が縮み、紐通し４、中央部５付近にしわが出来て、乳房の部分に本体１がかぶさるような形状となりこれを保持する。
このとき後部は図５に示す通り、紐３は肩から背中で左右が交差しながら脇まで到達し、紐２を通して両端が縫合されるか結ばれるようになっており、背中側に本体１が使用者に合った強さで引っ張られているため、ブラジャーがずれたり、外れたりすることがない。
【００２４】  加えて、すべての箇所において綿、麻または絹を材料として用いているため、圧迫感を感じることなく、快適に装着することができる。
【００２５】  またカップ形状を形成してはいないが、乳房の保持や乳首の隆起を見せないなどのブラジャーの機能を果たしており、低コストで自然素材のブラジャーを提供することが可能である。
【００２６】  また紐３の長さを体形に合わせた後調整するため、使用者に合わせた調整によって、ゆるみによる不安感や、着用位置の不安定によって生ずる不快感などが生じない。
更に紐３は調整後縫合するか結んだ後余り紐を切断するため、余り紐がアウターの服に響いて、ファッション性が損なわれる可能性や、余り紐が皮膚に当たって不快感を与える可能性がない。
【符号の説明】
【００２７】１    ブラジャー本体
２    紐
３    紐
４    紐通し
５    ブラジャー中央部
６    乳首の位置となる部
７    紐通し
８    端部
９    本体の上部
【図１】
0003213502.tif 000003
【図２】
0003213502.tif 000004
【図３】
0003213502.tif 000005
【図４】
0003213502.tif 000006
【図５】
0003213502.tif 000007
【手続補正書】
【提出日】平成29年8月30日(2017.8.30)
【手続補正１】
【補正対象書類名】実用新案登録請求の範囲
【補正対象項目名】全文
【補正方法】変更
【補正の内容】
【実用新案登録請求の範囲】
【請求項１】
布を重ね合わせた本体と、第一の紐で構成されたブラジャーであり、前記本体は左右一対の胸当て部を有し、前記第一の紐は前記胸当て部を囲む位置に配置された紐通しに通されており、かつ前記第一の紐の両端は前記本体と縫合され、さらに前記第一の紐の一部は前記本体の下端左右の露出部より露出しており、前記第一の紐は前記露出部で引っ張ることが可能となっていることを特徴とするブラジャー。
【請求項２】
前記ブラジャーは、第二の紐を有しており、前記第二の紐は前記本体の上辺部に通されており、前記上辺部左右から出た前記第二の紐は、交差して左右反対の前記露出部より露出する前記第一の紐の内側に通されており、使用者に合わせた長さの調整が可能な長さを有することを特徴とする請求項１記載のブラジャー。
【請求項３】
前記ブラジャーの前記本体と前記第一の紐と前記第二の紐は、綿、麻、絹のいずれかの生地が材料であることを特徴とする請求項２記載のブラジャー。